(57)【特許請求の範囲】
【請求項１】
フェース部と、クラウン部と、ソール部とを備えた中空のゴルフクラブヘッドであって、
錘部材と、
前記ソール部に形成され、前記錘部材が取り付けられる円形の取付穴を形成するボス部と、を備え、
前記ボス部が楕円錐形状を有している、
ことを特徴とするゴルフクラブヘッド。
【請求項２】
請求項１に記載のゴルフクラブヘッドであって、
前記ボス部の長軸方向が短軸方向よりも、前記ソール部の一次振動モードの腹の位置に近い位置を通っている、
ことを特徴とするゴルフクラブヘッド。
【請求項３】
請求項２に記載のゴルフクラブヘッドであって、
前記ソール部が、一次振動モードの振幅が所定値以上の大振動領域を含み、
前記長軸方向は前記大振動領域を通過し、前記短軸方向は前記大振動領域を通過しない、
ことを特徴とするゴルフクラブヘッド。
【請求項４】
請求項１に記載のゴルフクラブヘッドであって、
前記ボス部が、トウ−ヒール方向の中央部に位置し、
前記ボス部の長軸方向が短軸方向よりもフェース−バック方向を指向している、
ことを特徴とするゴルフクラブヘッド。
【請求項５】
請求項１に記載のゴルフクラブヘッドであって、
前記ソール部に形成され、トウ−ヒール方向に延設されたリブを更に備え、
前記リブの延設方向と、前記ボス部の長軸方向とが交差している、
ことを特徴とするゴルフクラブヘッド。
【請求項６】
フェース部と、クラウン部と、ソール部とを備えた中空のゴルフクラブヘッドであって、
複数の錘部材と、
前記ソール部に形成され、前記複数の錘部材が取り付けられる円形の取付穴を形成する複数のボス部と、を備え、
前記複数のボス部のうちの少なくとも一つのボス部が楕円錐形状を有している、
ことを特徴とするゴルフクラブヘッド。
【請求項７】
請求項６に記載のゴルフクラブヘッドであって、
前記複数のボス部のうちの複数のボス部が楕円錐形状を有し、かつ、長軸方向が互いに交差している、
ことを特徴とするゴルフクラブヘッド。
【請求項８】
請求項６に記載のゴルフクラブヘッドであって、
前記複数のボス部のうちの複数のボス部が楕円錐形状を有し、かつ、それらの長軸方向が短軸方向よりも、前記ソール部の一次振動モードの腹の位置に近い位置を通っている、
ことを特徴とするゴルフクラブヘッド。
【発明の詳細な説明】
【技術分野】
【０００１】
本発明は錘部材を取り付け可能な中空のゴルフクラブヘッドに関する。
【背景技術】
【０００２】
ドライバヘッドに代表される中空のゴルフクラブヘッドでは、重心位置によって性能が変化する。重心位置の調整方法の一つとして、ソール部に錘部材を取り付け可能なゴルフクラブヘッドが知られている。特許文献１〜３には錘部材の取付構造が開示されている。一般的な取付構造の一つは、ネジ構造であり、ネジ穴を構成する取付穴に、ネジ軸を有する錘部材が螺着される。
【先行技術文献】
【特許文献】
【０００３】
【特許文献１】特開２０１３−１８３９７２号公報
【特許文献２】米国特許第８７５３２２５号明細書
【特許文献３】米国特許第８８５８３６２号明細書
【発明の概要】
【発明が解決しようとする課題】
【０００４】
錘部材の取付部位には重量が集中するため、振動の拘束度合が低下する。このため、ゴルフボールの打撃時の打音が低音となる傾向にあり、高打音を好むゴルファーからは、より高打音を発するゴルフクラブヘッドが望まれる。錘部材の取付部位の拘束度合を高めるために取付穴の周囲の肉厚を一律に厚くするとゴルフクラブヘッドの重量増を招くことになる。
【０００５】
本発明の目的は、重量増を抑えながら、錘部材の周囲の拘束度を高めることにある。
【課題を解決するための手段】
【０００６】
本発明によれば、フェース部と、クラウン部と、ソール部とを備えた中空のゴルフクラブヘッドであって、錘部材と、前記ソール部に形成され、前記錘部材が取り付けられる円形の取付穴を形成するボス部と、を備え、前記ボス部が楕円錐形状を有している、ことを特徴とするゴルフクラブヘッドが提供される。
【発明の効果】
【０００７】
本発明によれば、重量増を抑えながら、錘部材の周囲の拘束度を高めることができる。
【図面の簡単な説明】
【０００８】
【図１】（Ａ）は本発明の一実施形態のゴルフクラブヘッドの斜視図、（Ｂ）は図１（Ａ）のゴルフクラブヘッドをソール部側から見た図。
【図２】図１（Ｂ）のI-I線に沿う断面図。
【図３】図２のII-II線に沿う断面図。
【図４】（Ａ）は図３の線Ｌ１に沿う断面図、（Ｂ）は図３の線Ｌ２に沿う断面図。
【発明を実施するための形態】
【０００９】
図１（Ａ）は本発明の一実施形態のゴルフクラブヘッド１の斜視図、図１（Ｂ）はゴルフクラブヘッド１をソール部１３側から見た図である。ゴルフクラブヘッド１は、ヘッド本体１０と錘部材２１、２２とを備える。
【００１０】
ヘッド本体１０は中空体をなしており、その周壁が、フェース部１１、クラウン部１２、ソール部１３及びサイド部１４を構成している。フェース部１１は、その表面（正面）がフェース面（打撃面）を形成する。フェース面にはバルジ及びロールを形成することができる。クラウン部１２はゴルフクラブヘッド１の上部を形成する。ソール部１３はゴルフクラブヘッド１の底部を形成する。サイド部１４はソール部１３と、クラウン部１２との間の部分を形成する。また、ヘッド本体１０はシャフトが取付けられるホゼル部１５を備える。
【００１１】
図１（Ａ）の矢印ｄ１はフェース−バック方向を示し、矢印ｄ２はトウーヒール方向を示す。フェース−バック方向は、通常は、飛球線方向（打球の目標方向）となる。トウ−ヒール方向は、ソール部１３のトウ側端とヒール側端とを結ぶ方向とする。
【００１２】
ゴルフクラブヘッド１はドライバ用のゴルフクラブヘッドである。しかし、本発明はドライバ以外のフェアウエイウッド等も含むウッド型のゴルフクラブヘッド等、他の種類の中空ゴルフクラブヘッドに適用可能である。
【００１３】
ヘッド本体１０は、金属材料から作成することができ、そのような金属材料としては、チタン系金属（例えば、６Ａｌ−４Ｖ−Ｔｉのチタン合金等）、ステンレス、ベリリウムカッパー等の銅合金が挙げられる。
【００１４】
ヘッド本体１０は、複数のパーツを接合して組み立てることができる。本実施形態の場合、本体部材とフェース部材とから構成されている。本体部材は、クラウン部１２、ソール部１３、サイド部１４及びフェース部１１の周縁部分を構成し、フェース部１１に相当する部分の一部に開口部が形成される。フェース部材は本体部材の開口部に接合される。
【００１５】
ヘッド本体１０は、ソール部１３に形成された取付部１３１、１３２を備える。取付部１３１には錘部材２１が取付けられ、取付部１３２には錘部材２２が取付けられる。取付部１３１と取付部１３２とは、ｄ１方向及びｄ２方向の双方に離間した位置に形成されている。しかし、取付部１３１、１３２はｄ１方向のみ離間した位置に形成することも可能であり、また、ｄ２方向のみ離間した位置に形成することも可能である。
【００１６】
取付部１３１は、ｄ２方向で言うと中央部に位置し、ｄ１方向で言うとフェース部１１側に偏った位置に位置している。取付部１３２は、ｄ２方向で言うとヒール側に偏った位置に位置し、ｄ１方向で言うとバック側に偏った位置に位置している。
【００１７】
図２〜図４（Ｂ）を参照して取付部１３１、１３２及びソール部１３の構造を更に説明する。図２は図１（Ｂ）のI-I線に沿うヘッド本体１０の断面図であり、特に本体部材の断面図である。図３は図２のII-II線に沿う断面図であり、ソール部１３の内面を平面視した図である。図２及び図３において、本体部材の開口部１１’は、フェース部１１が形成される部分であり、フェース部材で塞がれる。図４（Ａ）は図３の線Ｌ１に沿う断面図、図（Ｂ）は図３の線Ｌ２に沿う断面図である。
【００１８】
取付部１３１は錘部材２１が取付けられる円形の取付穴２１を有する。また、取付部１３２は錘部材２２が取付けられる円形の取付穴２２を有する。本実施形態では、錘部材２１及び２２の取付構造は、ネジ構造としている。図２には錘部材２２の外観が図示されており、ネジ軸と、ネジ軸の端部の頭部とを有している。錘部材２１も同様の構造である。したがって、取付穴２１、２２は本実施形態の場合ネジ穴であるが、採用する取付構造に応じて適宜変更可能である。
【００１９】
取付部１３１は、また、取付穴１３１ａを形成するボス部１３１ｂを備える。ボス部１３１ｂは楕円垂形状を有している。図３において、線Ｌ１はボス部１３１ｂの楕円の長軸方向を示し、線Ｌ２は短軸方向を示している。断面が円形である取付穴１３１ａが、楕円錐形状のボス部１３１ｂに形成されているので、取付穴１３１ａの周囲のボス部１３１ｂの肉厚は図４(Ａ)及び図４（Ｂ）に示すように不均一となる。図４（Ａ）は長軸方向でのボス部１３１ｂの断面を示し、図４（Ｂ）は短軸方向でのボス部１３１ｂの断面を示している。図４（Ｂ）において、破線は長軸方向の断面の輪郭を示している。
【００２０】
図４(Ａ)及び図４（Ｂ）から理解されるように、取付穴１３１ａの周囲のボス部１３１ｂの肉厚は長軸方向で相対的に厚く、短軸方向で相対的に薄くなる。したがって、ボス部１３１ｂには、その剛性の方向性があり、長軸方向で相対的に剛性が高く、短軸方向で相対的に剛性が低くなる。
【００２１】
錘部材２１によって取付部１３１には重量が集中するため、振動の拘束度合が低下する。そこで、振動を拘束したい方向に長軸方向が向くようにボス部１３１ｂを形成することで、錘部材２１の周囲の拘束度を高めることができる。ボス部１３１ｂの肉厚を一律に厚くするよりも重量増を抑制できる。また、リブ等でボス部の周囲を補強するよりも、楕円錐形状の方が鋳造性がよく、生産性も向上する。
【００２２】
ソール部１３の打撃時の振動は、通常は、ｄ１方向に進行する。図３に示すようにボス部１３１ｂの長軸方向Ｌ１を、短軸方向Ｌ２よりもｄ１方向に指向させることで、打撃時の振動を拘束でき、打音の高音化を図れる。
【００２３】
図３において、位置Ｐはソール部１３の一次振動モードの腹の位置を示し、領域Ｒは一次振動モードの振幅が所定値以上（例えば一時振動モードの腹の位置の振幅の６０％以上、好ましくは８０％以上）の大振動領域を示している。これらはコンピュータ上でゴルフクラブヘッドのモデルを作成し、その振動解析を行うことで特定可能である。
【００２４】
長軸方向Ｌ１が短軸方向Ｌ２よりも腹の位置Ｐに近い位置を通過していることで、ボス部１３１ｂによってソール部１３の一次振動の拘束度を高めることができる。図３の例では、長軸方向Ｌ１が腹の位置Ｐを通過しているが、離れていてもよい。
【００２５】
同様の考えで、長軸方向Ｌ１が大振動領域Ｒを通過し、短軸方向Ｌ２が大振動領域Ｒを通過しない構成でもよい。この場合も、ボス部１３１ｂによってソール部１３の一次振動の拘束度を高めることができる。
【００２６】
本実施形態の場合、ソール部１３には、ｄ２方向に延設されたリブ１６が設けられている。リブ１６はソール部１３の上面に一体的に形成されており、その両端部はサイド部１４の内面に接続されている。このリブ１６もソール部１３の一次振動の拘束度を高めることに寄与する。本実施形態では、リブ１６の延設方向と、ボス部１３１ｂの長軸方向Ｌ１とが交差している。これにより、リブ１６の延設方向と、ボス部１３１ｂの長軸方向Ｌ１との双方について、一次振動の拘束度を高めることができ、ソール部１３の拘束度を高めることができる。
【００２７】
取付部１３２も、取付部１３１と同様の構成であり、取付穴１３２ａを形成するボス部１３２ｂを備える。ボス部１３２ｂも楕円垂形状を有している。図３において、線Ｌ１１はボス部１３２ｂの楕円の長軸方向を示し、線Ｌ１２は短軸方向を示している。断面が円形である取付穴１３２ａが、楕円錐形状のボス部１３２ｂに形成されているので、取付穴１３２ａの周囲のボス部１３２ｂの肉厚は不均一となり、長軸方向Ｌ１１で相対的に剛性が高く、短軸方向Ｌ１２で相対的に剛性が低くなる。
【００２８】
図３の例の場合、長軸方向Ｌ１１が短軸方向Ｌ１２とで、腹の位置Ｐや大振動領域Ｒに対する通過位置の差はほとんどない。ｄ１方向で見ると、長軸方向Ｌ１１が短軸方向Ｌ１２よりもｄ１方向に指向している。したがって、ボス部１３２ｂにも、一次振動の拘束度を高める効果が期待できる。
【００２９】
なお、短軸方向Ｌ１２よりも長軸方向Ｌ１１が腹の位置Ｐに近い位置を通過していたり、或いは、大振動領域Ｒを長軸方向Ｌ１１が通過し、短軸方向Ｌ１２が通過しない構成も採用可能である。この場合、一次振動の拘束度を更に高める効果が期待できる。
【００３０】
＜他の実施形態＞
上記実施形態では、錘部材及びその取付部を二組設けたが、一組であってもよいし、三組以上であってもよい。また、錘部材及びその取付部を複数組設ける場合、全てのボス部の形状を楕円錐形状としてもよいし、一部のボス部の形状のみを楕円錐形状とし、残りのボス部は、例えば、円錐形状としてもよい。錘部材は取付部に対して交換自在に固定されてもよく、ゴルファーが複数種類の錘部材の中から、取付部に固定する錘部材の種類を選択可能であってもよい。
【００３１】
楕円錐形状のボス部が複数ある場合、全てのボス部の長軸方向が短軸方向よりも腹の位置Ｐに近い位置を通過してもよいし、一部のボス部の長軸方向が短軸方向よりも腹の位置Ｐに近い位置を通過してもよい。同様に、楕円錐形状のボス部が複数ある場合、全てのボス部の長軸方向が大振動領域Ｒを通過し、短軸方向が通過しなくてもよいし、一部のボス部の長軸方向が大振動領域Ｒを通過し、短軸方向が通過しなくてもよい。
【００３２】
ソール部の拘束度が高まると、打音が高すぎる場合がある。よって、図３の例のように、一部の取付部（１３２）については、長軸方向（Ｌ１１）を拘束度の向上に有効な方向に指向させず、拘束度を弱めて打音が高くなりすぎないように、或いは、低めるようにしてもよい。同様の考えで、例えば、図３の例で、ボス部１３１ｂの短軸方向Ｌ２が長軸方向Ｌ１よりも腹の位置Ｐに近い位置を通過している構成や、短軸方向Ｌ２が大振動領域Ｒを通過し、長軸方向Ｌ１が大振動領域Ｒを通過しない構成でもよい。これにより取付部１３１におけるｄ１方向の拘束度が弱まり、打音が高くなりすぎないように、或いは、低めるようにすることができる場合がある。
【符号の説明】
【００３３】
１０  ゴルフクラブヘッド
１３  ソール部
２１、２２  
１３１ａ、１３２ａ  取付穴
１３１ｂ、１３２ｂ  ボス部
【図１】
0006600206.tif 000002
【図２】
0006600206.tif 000003
【図３】
0006600206.tif 000004
【図４】
0006600206.tif 000005